(57)【要約】【課題】ストッパ部の形状を工夫することで、ターミナルカバーが傾いた姿勢でターミナルガードに嵌め込まれたとしても、ストッパ部が削り取られるのを抑える。【解決手段】ターミナルカバー（30）の嵌め込み方向から見て、第２ストッパ部（36b）において第２ガード壁部（25）よりも突出している余肉部の長さｂが、第１ストッパ部（36a）において第１ガード壁部（22）よりも突出している余肉部の長さａよりも大きくなるように設定される。【選択図】図４
2015032784.tif 000002
【特許請求の範囲】
【請求項１】
ケーシング（11）の側壁面から外方に突出するターミナル（15）と、該ターミナル（15）の周囲に立設され且つ係合孔（23）が形成されたターミナルガード（20）と、該係合孔（23）に係合する爪部（33）が設けられ且つ該ターミナルガード（20）に嵌め込まれることで該ターミナル（15）を覆うターミナルカバー（30）とを備えたターミナル保護構造であって、
前記ターミナルガード（20）は、前記係合孔（23）が形成された第１ガード壁部（22）と、該第１ガード壁部（22）に直交する第２ガード壁部（25）とを有し、
前記ターミナルカバー（30）は、前記爪部（33）が設けられた第１カバー壁部（32）と、該第１カバー壁部（32）に直交する第２カバー壁部（35）とを有し、
前記第１カバー壁部（32）及び前記第２カバー壁部（35）には、前記ターミナルカバー（30）を前記ターミナルガード（20）に嵌め込んだときに、前記第１ガード壁部（22）の端縁及び前記第２ガード壁部（25）の端縁に当接して嵌め込み方向の位置決めを行うストッパ部（36）が設けられており、
前記ターミナルカバー（30）の嵌め込み方向から見て、前記ストッパ部（36）において前記第１ガード壁部（22）よりも突出している余肉部の長さａ［ｍｍ］、該ストッパ部（36）において前記第２ガード壁部（25）よりも突出している余肉部の長さｂ［ｍｍ］が、
ｂ＞ａ
という条件を満たすように設定されていることを特徴とするターミナル保護構造。
【請求項２】
請求項１において、
前記ターミナルカバー（30）は、前記ターミナルガード（20）の内側に嵌め込まれるように形成され、
前記ターミナルカバー（30）に設けられた前記爪部（33）及び前記ストッパ部（36）は、該ターミナルカバー（30）の外周面から外方に突出していることを特徴とするターミナル保護構造。
【請求項３】
請求項１において、
前記ターミナルカバー（30）は、前記ターミナルガード（20）の外側に嵌め込まれるように形成され、
前記ターミナルカバー（30）に設けられた前記爪部（33）及び前記ストッパ部（36）は、該ターミナルカバー（30）の内周面から内方に突出していることを特徴とするターミナル保護構造。
【請求項４】
請求項３において、
前記ストッパ部（36）は、前記ターミナルカバー（30）の内周面に沿って全周に亘って連続的に延びていることを特徴とするターミナル保護構造。
【発明の詳細な説明】
【技術分野】
【０００１】
本発明は、ターミナル保護構造に関するものである。
【背景技術】
【０００２】
従来より、圧縮機のケーシング側面から外方に突出するターミナルの周囲をターミナルガード及びターミナルカバーで覆うようにしたターミナル保護構造が知られている（例えば、特許文献１参照）。
【０００３】
ターミナルガードは、ターミナルの周囲に立設された金属製の部品であり、組み立て作業時にターミナルが変形しないように保護している。ターミナルガードの側壁面には、係合孔が形成されている。
【０００４】
ターミナルカバーは、ターミナルの端子ピンに電気配線を接続した後でこの接続部分を保護するための樹脂製の部品である。ターミナルカバーの側壁面には、ターミナルガードの係合孔に係合する爪部が設けられている。また、ターミナルカバーには、ターミナルガードの開口側の端縁に当接して嵌め込み方向の位置決めを行うストッパ部が設けられている。
【先行技術文献】
【特許文献】
【０００５】
【特許文献１】特許第３９９５０１３号公報
【発明の概要】
【発明が解決しようとする課題】
【０００６】
ここで、ターミナルカバーとターミナルガードとの寸法誤差を考慮して、嵌め込み方向から見てターミナルカバーとターミナルカバーとの間に、所定のがたつきを許容できる隙間を設けておくことが好ましい。
【０００７】
しかしながら、ターミナルカバーとターミナルガードとの隙間が大きいと、ターミナルカバーをターミナルガードに嵌め込む際に、ターミナルカバーが爪部を中心に回動して前傾姿勢となってしまう。
【０００８】
そして、ターミナルカバーが傾いた姿勢のままでターミナルガードに対して嵌め込むと、ターミナルカバーの上部に設けられたストッパ部とターミナルガードの上端縁とのかかり代が少なくなってストッパ部の一部が削り取られてしまうという問題がある。ここで、ターミナルカバーは、メンテナンス作業の際に繰り返し着脱する部材であるから、その都度、ストッパ部が削り取られてしまい、最終的には、ストッパとしての役割を果たすことができなくなるおそれがある。
【０００９】
本発明は、かかる点に鑑みてなされたものであり、その目的は、ストッパ部の形状を工夫することで、ターミナルカバーが傾いた姿勢でターミナルガードに嵌め込まれたとしても、ストッパ部が削り取られるのを抑えることにある。
【課題を解決するための手段】
【００１０】
本発明は、ケーシング（11）の側壁面から外方に突出するターミナル（15）と、該ターミナル（15）の周囲に立設され且つ係合孔（23）が形成されたターミナルガード（20）と、該係合孔（23）に係合する爪部（33）が設けられ且つ該ターミナルガード（20）に嵌め込まれることで該ターミナル（15）を覆うターミナルカバー（30）とを備えたターミナル保護構造を対象とし、次のような解決手段を講じた。
【００１１】
すなわち、第１の発明は、前記ターミナルガード（20）は、前記係合孔（23）が形成された第１ガード壁部（22）と、該第１ガード壁部（22）に直交する第２ガード壁部（25）とを有し、
前記ターミナルカバー（30）は、前記爪部（33）が設けられた第１カバー壁部（32）と、該第１カバー壁部（32）に直交する第２カバー壁部（35）とを有し、
前記第１カバー壁部（32）及び前記第２カバー壁部（35）には、前記ターミナルカバー（30）を前記ターミナルガード（20）に嵌め込んだときに、前記第１ガード壁部（22）の端縁及び前記第２ガード壁部（25）の端縁に当接して嵌め込み方向の位置決めを行うストッパ部（36）が設けられており、
前記ターミナルカバー（30）の嵌め込み方向から見て、前記ストッパ部（36）において前記第１ガード壁部（22）よりも突出している余肉部の長さａ［ｍｍ］、該ストッパ部（36）において前記第２ガード壁部（25）よりも突出している余肉部の長さｂ［ｍｍ］が、
ｂ＞ａ
という条件を満たすように設定されていることを特徴とするものである。
【００１２】
第１の発明では、ターミナルカバー（30）の嵌め込み方向から見て、ストッパ部（36）において第２ガード壁部（25）よりも突出している余肉部の長さｂが、ストッパ部（36）において第１ガード壁部（22）よりも突出している余肉部の長さａよりも大きくなるように設定される。
【００１３】
このような構成とすれば、ターミナルカバー（30）が傾いた姿勢でターミナルガード（20）に嵌め込まれたとしても、ストッパ部（36）が削り取られるのを抑えることができる。
【００１４】
具体的に、通常、ターミナルガード（20）とターミナルカバー（30）との間には、嵌め込み方向から見て所定のがたつきを許容できる隙間が設けられている。しかしながら、この隙間が大きいと、ターミナルカバー（30）が爪部（33）を中心に回動して傾いた姿勢となってしまう。例えば、ターミナルカバー（30）の両側壁面に爪部（33）が設けられている場合には、ターミナルカバー（30）が前傾姿勢となってしまう。そして、ターミナルカバー（30）が傾いた姿勢のままでターミナルガード（20）に対して嵌め込むと、ターミナルカバー（30）の上部に設けられたストッパ部（36）とターミナルガード（20）の上端縁とのかかり代が少なくなってストッパ部（36）が削り取られてしまうという問題がある。
【００１５】
これに対し、本発明では、嵌め込み時にターミナルカバー（30）が爪部（33）を中心に回動することを考慮して、第１カバー壁部（32）に直交する第２カバー壁部（35）側のストッパ部（36）の余肉部の長さｂを、第１カバー壁部（32）側のストッパ部（36）の余肉部の長さａよりも大きく設定している。これにより、ターミナルカバー（30）が傾いた姿勢でターミナルガード（20）に対して嵌め込んだ場合でも、ストッパ部（36）と第２ガード壁部（25）とのかかり代が十分に大きく確保されているので、ストッパ部（36）が削り取られてしまうのを抑えることができる。
【００１６】
第２の発明は、第１の発明において、
前記ターミナルカバー（30）は、前記ターミナルガード（20）の内側に嵌め込まれるように形成され、
前記ターミナルカバー（30）に設けられた前記爪部（33）及び前記ストッパ部（36）は、該ターミナルカバー（30）の外周面から外方に突出していることを特徴とするものである。
【００１７】
第２の発明では、ターミナルガード（20）の内側にターミナルカバー（30）が嵌め込まれるので、ターミナルカバー（30）の外周面から外方に突出するストッパ部（36）がターミナルガード（20）の端縁に当接して、嵌め込み方向の位置決めが行われる。
【００１８】
第３の発明は、第１の発明において、
前記ターミナルカバー（30）は、前記ターミナルガード（20）の外側に嵌め込まれるように形成され、
前記ターミナルカバー（30）に設けられた前記爪部（33）及び前記ストッパ部（36）は、前記ターミナルカバー（30）の内周面から内方に突出していることを特徴とするものである。
【００１９】
第３の発明では、ターミナルガード（20）の外側にターミナルカバー（30）が嵌め込まれるので、ターミナルカバー（30）の内周面から内方に突出するストッパ部（36）がターミナルガード（20）の端縁に当接して、嵌め込み方向の位置決めが行われる。
【００２０】
第４の発明は、第３の発明において、
前記ストッパ部（36）は、前記ターミナルカバー（30）の内周面に沿って全周に亘って連続的に延びていることを特徴とするものである。
【００２１】
第４の発明では、ターミナルカバー（30）の内周面から内方に突出するストッパ部（36）がターミナルガード（20）の端縁の全周に亘って当接して、嵌め込み方向の位置決めが行われる。
【発明の効果】
【００２２】
本発明によれば、嵌め込み時にターミナルカバー（30）が爪部（33）を中心に回動することを考慮して、第１カバー壁部（32）に直交する第２カバー壁部（35）側のストッパ部（36）の余肉部の長さｂを、第１カバー壁部（32）側のストッパ部（36）の余肉部の長さａよりも大きく設定している。これにより、ターミナルカバー（30）が傾いた姿勢でターミナルガード（20）に対して嵌め込んだ場合でも、ストッパ部（36）と第２ガード壁部（25）とのかかり代が十分に大きく確保されているので、ストッパ部（36）が削り取られてしまうのを抑えることができる。
【図面の簡単な説明】
【００２３】
【図１】本発明の実施形態１に係る圧縮機の構成を示す側面図である。
【図２】ターミナルカバーをターミナルガードに嵌め込む前の状態を示す側面図である。
【図３】ターミナルカバーをターミナルガードに嵌め込んだ状態を示す側面図である。
【図４】図３のＡ方向矢視図である。
【図５】本実施形態２に係るターミナルカバーをターミナルガードに嵌め込む前の状態を示す側面図である。
【図６】ターミナルカバーをターミナルガードに嵌め込んだ状態を示す側面図である。
【図７】図６のＢ−Ｂ矢視断面図である。
【図８】本実施形態２の変形例を示す図７相当図である。
【発明を実施するための形態】
【００２４】
以下、本発明の実施形態を図面に基づいて説明する。なお、以下の好ましい実施形態の説明は、本質的に例示に過ぎず、本発明、その適用物或いはその用途を制限することを意図するものではない。
【００２５】
《実施形態１》
図１は、本発明の実施形態に係る圧縮機の構成を示す正面図である。図１に示すように、圧縮機（10）は、冷凍サイクルにおける低圧の冷媒を高圧まで圧縮するためのものであり、縦型円筒状のケーシング（11）を備えている。
【００２６】
ケーシング（11）内には、図示しない圧縮機構とモータとが収容されて全密閉型に構成されている。ケーシング（11）の上部には、吸入管（12）が接続されている。ケーシング（11）の側壁面には、吐出管（13）が接続されている。
【００２７】
図２及び図３に示すように、ケーシング（11）の側壁面には、ターミナル（15）が取り付けられている。ターミナル（15）は、モータ配線用の端子ピン（15a）と、端子ピン（15a）をケーシング（11）に取り付けるための絶縁部材（17）とを有する。端子ピン（15a）の両端部は、ケーシング（11）の内方及び外方にそれぞれ突出している。端子ピン（15a）の内側の端部は、図示しないリード線によってモータに接続されている。端子ピン（15a）の外側の端部には、電気配線（16）が接続されている（図１参照）。ターミナル（15）の周囲は、ターミナルガード（20）及びターミナルカバー（30）によって覆われている。
【００２８】
ターミナルガード（20）は、ケーシング（11）の側壁面に沿って取り付けられ且つターミナル（15）を挿通させる開口孔（21a）が形成されたガード底部（21）と、ガード底部（21）の左右両端縁に立設された一対の第１ガード壁部（22）と、ガード底部（21）の上下両端縁に立設されて第１ガード壁部（22）に直交する一対の第２ガード壁部（25）とを有する金属製の部材である。
【００２９】
第１ガード壁部（22）には、後述するターミナルカバー（30）の爪部（33）を係合するための矩形状の係合孔（23）が形成されている。下側の第２ガード壁部（25）には、ターミナル（15）の端子ピン（15a）に接続された電気配線（16）をターミナルガード（20）の外側に引き出すためのガード側開口部（25a）が設けられている。
【００３０】
ターミナルカバー（30）は、ターミナルガード（20）の開口部を塞ぐカバー底部（31）と、カバー底部（31）の左右両端縁に立設された一対の第１カバー壁部（32）と、カバー底部（31）の上下両端縁に立設されて第１カバー壁部（32）に直交する一対の第２カバー壁部（35）とを有する樹脂製の部材である。ターミナルカバー（30）は、ターミナルガード（20）の内側に嵌め込まれる。
【００３１】
第１カバー壁部（32）には、上下方向の略中央で且つターミナルガード（20）寄りの位置に、爪部（33）が設けられている。爪部（33）は、ターミナルカバー（30）の外周面から外方に突出している。
【００３２】
また、第１カバー壁部（32）には、ターミナルガード（20）側に開口するように切り欠かれたスリット部（32a）が形成されている。スリット部（32a）は、爪部（33）を挟むように爪部（33）の上側及び下側にそれぞれ形成されている。これにより、第１カバー壁部（32）におけるスリット部（32a）で挟まれた部分は、板厚方向に弾性変形可能となっている。そして、ターミナルカバー（30）をターミナルガード（20）に嵌め込む際には、爪部（33）が形成された第１カバー壁部（32）が弾性変形するので、爪部（33）を係合孔（23）に容易に係合させることができる。
【００３３】
下側の第２カバー壁部（35）には、ターミナル（15）に接続された電気配線（16）をターミナルカバー（30）の外側に引き出すためのカバー側開口部（35a）が設けられている。
【００３４】
ターミナルカバー（30）には、ターミナルガード（20）に嵌め込んだ際に、嵌め込み方向の位置決めを行うためのストッパ部（36）が設けられている。ストッパ部（36）は、第１カバー壁部（32）に設けられた第１ストッパ部（36a）と、第２カバー壁部（35）に設けられた第２ストッパ部（36b）とを有する。
【００３５】
図４に示すように、第１ストッパ部（36a）は、第１カバー壁部（32）における爪部（33）よりも上側の位置で幅方向外方に突出するように設けられている。第１ストッパ部（36a）の長さは、ターミナルカバー（30）をターミナルガード（20）に嵌め込んだときに、先端部が第１ガード壁部（22）の端縁に当接するように設定されている。
【００３６】
第２ストッパ部（36b）は、上側の第２カバー壁部（35）における幅方向中央位置で上方に突出するように設けられている。また、下側の第２カバー壁部（35）における幅方向両端の円弧状の隅部にも第２ストッパ部（36b）が設けられている。第２ストッパ部（36b）の長さは、ターミナルカバー（30）をターミナルガード（20）に嵌め込んだときに、先端部が第２ガード壁部（25）の端縁に当接するように設定されている。
【００３７】
このような構成とすれば、第１ストッパ部（36a）及び第２ストッパ部（36b）が第１ガード壁部（22）及び第２ガード壁部（25）に当接する位置までターミナルカバー（30）をターミナルガード（20）に対して嵌め込むことで、嵌め込み方向の位置決めを行うことができる。
【００３８】
ところで、通常、ターミナルガード（20）とターミナルカバー（30）との間には、嵌め込み方向から見て、所定のがたつきを許容できる隙間が設けられている。しかしながら、この隙間が大きいと、ターミナルカバー（30）が爪部（33）を中心に回動して前傾姿勢となってしまう。そして、ターミナルカバー（30）が傾いた姿勢のままでターミナルガード（20）に対して嵌め込むと、上側の第２ストッパ部（36b）と上側の第２ガード壁部（25）の端縁とのかかり代が少なくなって第２ストッパ部（36b）が削り取られてしまうという問題がある。
【００３９】
そこで、本実施形態では、嵌め込み時にターミナルカバー（30）が爪部（33）を中心に回動することを考慮して、第２ストッパ部（36b）の形状を工夫するようにした。
【００４０】
具体的に、図４に示すように、ターミナルカバー（30）の嵌め込み方向から見て、第１ストッパ部（36a）において第１ガード壁部（22）よりも突出している余肉部の長さａ［ｍｍ］、第２ストッパ部（36b）において第２ガード壁部（25）よりも突出している余肉部の長さｂ［ｍｍ］が、下記の（１）式を満たすように設定されている。
【００４１】
ｂ＞ａ  ・・・（１）
つまり、第２ストッパ部（36b）の余肉部の長さｂを、第１ストッパ部（36a）の余肉部の長さａよりも大きく設定することで、第２ストッパ部（36b）と第２ガード壁部（25）とのかかり代を十分に大きく確保するようにしている。
【００４２】
このような構成とすれば、ターミナルカバー（30）が爪部（33）を中心に回動して、ターミナルカバー（30）が傾いた姿勢でターミナルガード（20）に対して嵌め込んだ場合でも、第２ストッパ部（36b）が第２ガード壁部（25）の端縁に確実に当接することとなる。そのため、第２ストッパ部（36b）が第２ガード壁部（25）によって削り取られてしまうのを抑えることができる。
【００４３】
《実施形態２》
図５は、本実施形態２に係るターミナルカバーをターミナルガードに嵌め込む前の状態を示す側面図である。図５に示すように、前記実施形態１との違いは、ターミナルカバー（30）をターミナルガード（20）の外側に嵌め込むようにした点であるため、以下、実施形態１と同じ部分については同じ符号を付し、相違点に付いてのみ説明する。
【００４４】
図５及び図６に示すように、ターミナルカバー（30）は、ターミナルガード（20）の開口部を塞ぐカバー底部（31）と、カバー底部（31）の左右両端縁に立設された一対の第１カバー壁部（32）と、カバー底部（31）の上下両端縁に立設されて第１カバー壁部（32）に直交する一対の第２カバー壁部（35）とを有する樹脂製の部材である。ターミナルカバー（30）は、ターミナルガード（20）の外側に嵌め込まれる。
【００４５】
第１カバー壁部（32）には、上下方向の略中央で且つターミナルガード（20）寄りの位置に、爪部（33）が設けられている。爪部（33）は、ターミナルカバー（30）の内周面から内方に突出している。
【００４６】
ターミナルカバー（30）には、ターミナルガード（20）に嵌め込んだ際に、嵌め込み方向の位置決めを行うためのストッパ部（36）が設けられている。
【００４７】
図７に示すように、ストッパ部（36）は、ターミナルカバー（30）の四隅に設けられ、ターミナルカバー（30）の内周面から内方に突出している。ストッパ部（36）の長さは、ターミナルカバー（30）をターミナルガード（20）に嵌め込んだときに、先端部が第１ガード壁部（22）及び第２ガード壁部（25）の端縁に当接するように設定されている。
【００４８】
このような構成とすれば、ストッパ部（36）が第１ガード壁部（22）及び第２ガード壁部（25）に当接する位置までターミナルカバー（30）をターミナルガード（20）に対して嵌め込むことで、嵌め込み方向の位置決めを行うことができる。
【００４９】
ここで、図７に示すように、ターミナルカバー（30）の嵌め込み方向から見て、ストッパ部（36）において第２ガード壁部（25）よりも突出している余肉部の長さｂは、ストッパ部（36）において第１ガード壁部（22）よりも突出している余肉部の長さａよりも大きく設定されている。つまり、ストッパ部（36）と第２ガード壁部（25）とのかかり代を十分に大きく確保するようにしている。
【００５０】
このような構成とすれば、ターミナルカバー（30）が爪部（33）を中心に回動して、ターミナルカバー（30）が傾いた姿勢でターミナルガード（20）に対して嵌め込んだ場合でも、ストッパ部（36）が第２ガード壁部（25）の端縁に確実に当接することとなる。そのため、ストッパ部（36）が第２ガード壁部（25）によって削り取られてしまうのを抑えることができる。
【００５１】
《実施形態２の変形例》
図８は、本実施形態２の変形例を示す図７相当図である。図８に示すように、ストッパ部（36）は、ターミナルカバー（30）の内周面に沿って全周に亘って連続的に延びている。
【００５２】
そして、ターミナルカバー（30）の嵌め込み方向から見て、ストッパ部（36）において第２ガード壁部（25）よりも突出している余肉部の長さｂは、ストッパ部（36）において第１ガード壁部（22）よりも突出している余肉部の長さａよりも大きく設定されている。
【００５３】
これにより、ストッパ部（36）と第２ガード壁部（25）とのかかり代を十分に大きく確保するとともに、ストッパ部（36）がターミナルガード（20）の端縁の全周に亘って当接して、嵌め込み方向の位置決めが行われる。
【００５４】
《その他の実施形態》
前記実施形態については、以下のような構成としてもよい。
【００５５】
本実施形態では、ターミナルカバー（30）の左右両側の壁部に爪部（33）を設けるようにしたが、この形態に限定するものではなく、ターミナルカバー（30）の上下両側の壁部に爪部（33）を設けてもよい。この場合には、ターミナルカバー（30）が爪部（33）を中心に左右方向に回動するので、ターミナルガード（20）の左右両側壁の端縁に当接するストッパ部（36）の余肉部の長さを大きくすればよい。
【産業上の利用可能性】
【００５６】
以上説明したように、本発明は、ストッパ部の形状を工夫することで、ターミナルカバーが傾いた姿勢でターミナルガードに嵌め込まれたとしても、ストッパ部が削り取られるのを抑えることができるという実用性の高い効果が得られることから、きわめて有用で産業上の利用可能性は高い。
【符号の説明】
【００５７】
11    ケーシング
15    ターミナル
20    ターミナルガード
22    第１ガード壁部
23    係合孔
25    第２ガード壁部
30    ターミナルカバー
32    第１カバー壁部
33    爪部
35    第２カバー壁部
36    ストッパ部
【図１】
2015032784.tif 000003
【図２】
2015032784.tif 000004
【図３】
2015032784.tif 000005
【図４】
2015032784.tif 000006
【図５】
2015032784.tif 000007
【図６】
2015032784.tif 000008
【図７】
2015032784.tif 000009
【図８】
2015032784.tif 000010